(57)【要約】      （修正有）【課題】特に傘を閉じた時、磁性により傘布を縛って畳むことができる傘用磁性リングを提供する。【解決手段】傘用磁性リング１０は、上面１１と、底面１２と、内周壁１３と、外周壁１４とを備えるリング体であり、その内、上面は、底面と反対する面であり、底面に環状の嵌合凹部が上面に向かって凹設され、嵌合凹部に少なくとも１つの磁性吸着部材が設置され、内周壁の上縁部が上面の内周縁と接すると共に、下縁部が底面の内周縁と接し、内周壁における、上面の内周縁と接する箇所に上部面取り１５が形成され、内周壁における、底面の内周縁と接する箇所に下部面取り１６が形成されるものであり、傘を閉じる時に、傘用磁性リングを傘に環装して、傘用磁性リングを回しながら傘の中棒に沿って先端から取っ手へ向かって摺動させれば、傘布を巻き込むように畳むことができる。【選択図】図１
0003196753.tif 000002
【実用新案登録請求の範囲】
【請求項１】
上面と、底面と、内周壁と、外周壁とを備えるリング体であり、その内、該上面は、底面と反対する面であり、該底面に環状の嵌合凹部が上面に向かって凹設され、該嵌合凹部に少なくとも１つの磁性吸着部材が設置され、該内周壁の上縁部が上面の内周縁と接すると共に、下縁部が底面の内周縁と接し、該内周壁における、上面の内周縁と接する箇所に上部面取りが形成され、該内周壁における、底面の内周縁と接する箇所に下部面取りが形成されることを特徴とする傘用磁性リング。
【請求項２】
前記上部面取りの円のサイズが下部面取りの円のサイズより大きいことを特徴とする請求項１に記載の傘用磁性リング。
【請求項３】
前記内周壁が滑らかな面であることを特徴とする請求項１または２に記載の傘用磁性リング。
【請求項４】
前記嵌合凹部の相対する箇所にそれぞれ磁性吸着部材が設置されることを特徴とする請求項１乃至３の何れか１項に記載の傘用磁性リング。
【請求項５】
前記嵌合凹部の２つの磁性吸着部材の間に複数のリブが設けられることを特徴とする請求項４に記載の傘用磁性リング。
【請求項６】
前記内周壁の高さＨ１が外周壁の高さＨ２より低く、該外周壁における、磁性吸着部材と対応する箇所にそれぞれ凹み部が形成され、該凹み部の高さＨ３は、内周壁と外周壁との高度差と同一であることを特徴とする請求項４または５に記載の傘用磁性リング。
【考案の詳細な説明】
【技術分野】
【０００１】
本考案は、特に傘を閉じた状態において磁性により傘布を縛るように纏めることができる磁性リングに関するものである。
【背景技術】
【０００２】
既存の傘は、傘布に縛り紐が縫合されており、傘を閉じた時に、その縛り紐により傘布を縛って収納する。その傘の縛り紐は、一端に面ファスナーのフックが設けられると共に、他端に面ファスナーのループが設けられ、面ファスナーのフックとループとの貼り付きにより、傘布を縛り付けて固定する設計である。
【０００３】
尚、その傘の縛り紐は、他のタイプにしてもよく、例えば、一端にオスボタンを設けると共に、他端にメスボタンを設け、傘を閉じる時に、縛り紐で傘布を絞って、オスボタンをメスボタンに嵌め込み、傘を畳んでもよい。また、それらのボタンは、プラスチックや金属材質からなってもよい。
【考案の概要】
【考案が解決しようとする課題】
【０００４】
既存の傘の縛り紐は、面ファスナーにより固定することができるが、その面ファスナーは頻繁に使用すると、粘着性が弱くなり、粘着効果がなくなると、傘を縛ることができない。
【０００５】
また、既存の傘の縛り紐に、プラスチックまたは金属材質からなるボタンが設けられている場合は、そのオスボタン及びメスボタンにより傘布を固定することはできるが、プラスチック材質は、日差しを長時間に亘って受け続けると、プラスチックの変質により構造強度が弱くなって、壊れやすくなるという問題があり、一方、金属材質は、雨や湿気などの水分によりよく錆が生じて汚くなる。
【０００６】
さらに、雨の時に、手で縛り紐を縛ると、手が濡れて冷たくなるので、より便利な方法に改善する必要があった。
【課題を解決するための手段】
【０００７】
本考案に係る傘用磁性リングは、上面と、底面と、内周壁と、外周壁とを備えるリング体であり、その内、該上面は、底面と反対する面であり、該底面に環状の嵌合凹部が上面に向かって凹設され、該嵌合凹部に少なくとも１つの磁性吸着部材が設置され、該内周壁の上縁部が上面の内周縁と接すると共に、下縁部が底面の内周縁と接し、該内周壁における、上面の内周縁と接する箇所に上部面取りが形成され、該内周壁における、底面の内周縁と接する箇所に下部面取りが形成されることができる。
【０００８】
かかる傘用磁性リングにおいて、前記上部面取りの円のサイズが下部面取りの円のサイズより大きいことが好ましい。
【０００９】
かかる傘用磁性リングにおいて、前記内周壁が滑らかな面であることが好ましい。
【００１０】
かかる傘用磁性リングにおいて、前記嵌合凹部の相対する箇所にそれぞれ磁性吸着部材が設置されることが好ましい。
【００１１】
かかる傘用磁性リングにおいて、前記嵌合凹部の２つの磁性吸着部材の間に複数のリブが設けられることが好ましい。
【００１２】
かかる傘用磁性リングにおいて、前記内周壁の高さＨ１が外周壁の高さＨ２より低く、該外周壁における、磁性吸着部材と対応する箇所にそれぞれ凹み部が形成され、該凹み部の高さＨ３は、内周壁と外周壁との高度差と同一であることが好ましい。
【考案の効果】
【００１３】
前記の構造によれば、本考案に係る傘用磁性リングは、リング状を呈することから、傘を閉じる時、傘用磁性リングを傘に環装して傘布を巻き込んで畳むことができる。また、その傘用磁性リングは、滑らかな上部面取り及び下部面取りを有するので、傘に環装する時、中棒に沿って摺動させても傘布が破れることはない。更に、上部面取りの円のサイズは、下部面取りの円のサイズよりも大きいので、傘用磁性リングを傘の先端から取っ手へ向かってスムーズに摺動させることができる。
【００１４】
その上、前記傘用磁性リングは、磁性吸着部材を有するので、傘を展開して使用する時、磁性吸着部材により傘用磁性リングを中棒に吸着させて、傘用磁性リングをしっかりと中棒に固定できるので、使用上非常に便利である。
【００１５】
また、その嵌合凹部における２つの磁性吸着部材の間に、複数のリブが設けられることから、それらのリブにより傘用磁性リングの構造をより強化することができる。
【図面の簡単な説明】
【００１６】
【図１】本考案に係る傘用磁性リングの斜視図である。
【図２】本考案に係る傘用磁性リングの平面図である。
【図３】図２の３−３線の断面図である。
【図４】本考案に係る傘用磁性リングを傘に環装して傘布を巻き込んで畳む動作を示す説明図である。
【図５】本考案に係る傘用磁性リングを傘に環装して傘布を縛って畳んだ状態を示す説明図である。
【図６】使用者が本考案に係る傘用磁性リングにより傘を折畳んだ状態で傘を持ち運ぶ様子を示す説明図である。
【図７】傘を展開して使用する時に、本考案に係る傘用磁性リングを中棒に吸着させた状態を示す説明図である。
【図８】図７のＡ−Ａ線の断面図である。
【考案を実施するための形態】
【００１７】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１８】
図１乃至図３に示すように、本考案に係る傘用磁性リング１０は、リング状を呈し、上面１１と、底面１２と、内周壁１３と、外周壁１４を備え、その内、該上面１１は、底面１２と反対する面であり、該底面１２に環状の嵌合凹部１２１が上面１１に向かって凹設され、該嵌合凹部１２１に２つの磁性吸着部材１２２が設置され、それらの磁性吸着部材１２２は、嵌合凹部１２１における相対する箇所にそれぞれ嵌合される。
【００１９】
その傘を展開して使用する時は、傘用磁性リング１０を磁性吸着部材１２２により中棒に吸着させることができるので、傘用磁性リング１０を紛失することはなく、また、その磁性吸着部材１２２は、嵌合凹部１２１の相対する箇所にそれぞれ配置されていることから、傘用磁性リング１０の２箇所をしっかりと中棒に吸着させることができる。
【００２０】
前記嵌合凹部１２１における、２つの磁性吸着部材１２２の間に、複数のリブ１２３が設けられるので、傘用磁性リング１０の構造をより強化することができる。
【００２１】
前記内周壁１３は、平坦かつ滑らかな環状面であることから、傘用磁性リング１０を傘に環装する時、内周壁１３が傘布と接触しながら中棒に沿って摺動しても、傘布が破れることはない。さらに、その内周壁１３において、上縁部は面１１の内周縁と接し、かつ下縁部は底面１２の内周縁と接し、その内、該内周壁１３における、上面１１の内周縁と接する箇所に上部面取り１５が形成され、該内周壁１３における、底面１２の内周縁と接する箇所に下部面取り１６が形成され、該上部面取り１５の円のサイズは、下部面取り１６の円のサイズよりも大きい。上述したように、本考案では、前記上部面取り１５及び下部面取り１６を有することから、傘用磁性リング１０を傘に環装する時、傘用磁性リング１０が傘布と接触しながら中棒に沿って摺動しても、傘布が破れることはない。また、上部面取り１５の円のサイズは、下部面取り１６の円のサイズよりも大きいので、傘用磁性リング１０を傘の先端から取っ手へ向かってスムーズに摺動させることができる。
【００２２】
なお、前記内周壁１３の高さＨ１は、外周壁１４の高さＨ２より低く、前記外周壁１４に２つの凹み部１４１が凹設され、該凹み部１４１の高さＨ３は、内周壁１３と外周壁１４との高度差と同一であり、その凹み部１４１は、磁性吸着部材１２２と対応するように設けられることが好ましい。また、前記磁性吸着部材１２２の底面は内周壁１３の底面と同一平面上に位置している。したがって、傘用磁性リング１０を磁性吸着部材１２２により中棒に吸着させる時、中棒がちょうど外周壁１４の凹み部１４１に嵌め込まれて磁性吸着部材１２２の磁性により吸着されることから、傘用磁性リング１０をしっかりと中棒に固定させることができる。
【００２３】
図４に示すように、傘を閉じる時は、傘用磁性リング１０を傘２０に環装して、傘用磁性リング１０を回しながら傘の中棒２２に沿って先端２３から取っ手２４へ向かって摺動させれば、傘布２１を巻き込むように畳むことができる。
【００２４】
図５に示すように、傘用磁性リング１０により傘２０を縛って畳む時は、その傘用磁性リング１０が先端２３と取っ手２４との間に位置し、傘用磁性リング１０が傘２０に対して回転しながら傘布２１を綺麗に巻き込むことから、傘用磁性リング１０の操作過程において使用者の手は傘布２１と接触せず、水滴も傘布２１に包まれるので、傘２０を持ち運ぶ時に、水滴が滴ることはない。
【００２５】
図６に示すように、その傘用磁性リング１０により傘２０を縛って畳むと、使用者が傘用磁性リング１０を介して傘２０を持ち運ぶことができる。
【００２６】
図７及び図８に示すように、使用者が傘２０を展開して使用する場合は、まず傘用磁性リング１０を傘布２１から取り外し、傘用磁性リング１０が凹み部１４１を介して中棒２２に嵌め込まれ、更に磁性吸着部材１２２の磁性により中棒２２に吸着されるので、傘用磁性リング１０を傘布２１から取り外しても保管することができる。
【００２７】
上述したように、本考案に係る傘用磁性リング１０は、中空状のリングであることから、傘２０を閉じる時、傘用磁性リング１０を傘２０に環装して傘布２１を巻き込んで畳むことができ、また、その傘用磁性リング１０は、滑らかな上部面取り１５及び下部面取り１６を有することから、傘２０に環装して中棒２２に沿って摺動させても傘布２１が破れることはない。さらに、本考案に係る傘用磁性リング１０は、磁性吸着部材１２２を備えることから、傘２０を展開して使用する時は、磁性吸着部材１２２により中棒２２に吸着させれば、傘用磁性リング１０を保管することができるので、使用上非常に便利である。
【符号の説明】
【００２８】
１０    傘用磁性リング
１１    上面
１２    底面
１２１  嵌合凹部
１２２  磁性吸着部材
１２３  リブ
１３    内周壁
１４    外周壁
１４１  凹み部
１５    上部面取り
１６    下部面取り
２０    傘
２１    傘布
２２    中棒
２３    先端
２４    取っ手
Ｈ１、Ｈ２、Ｈ３    高さ
【図１】
0003196753.tif 000003
【図２】
0003196753.tif 000004
【図３】
0003196753.tif 000005
【図４】
0003196753.tif 000006
【図５】
0003196753.tif 000007
【図６】
0003196753.tif 000008
【図７】
0003196753.tif 000009
【図８】
0003196753.tif 000010